(57)【要約】      （修正有）【課題】樹脂で一体に成形され、重量が軽くて強度が高く、積み上げても占めるスペースが小さいため、運輸コストを減少可能であり、重複に利用可能であり、耐用性が良い植木鉢用受け箱セットを提供する。【解決手段】裏面には、複数のＵ字形突起１１１と、複数の逆Ｕ字形突起１１２と、が設けられており、外面には、複数のＵ字形溝と、複数の逆Ｕ字形溝と、が設けられている受け箱底部１０と、受け箱底部１０の四周から上方へ延びて形成され、矩形窪み２１１と矩形突起２１２とが交錯に配列される四つの側面２０と、四つの側面２０の上縁から外側へ延びて形成され、受け盤を受け可能であるプラットフォーム面３０と、プラットフォーム面３０の周縁に設けられており、受け箱底部１０、四つの側面２０及びプラットフォーム面３０と樹脂で一体に成形される矩形周縁４０と、その周縁から下方に延びる止め壁を有し、止め壁の末端に当接平面が形成されている植木盤と、を含む。【選択図】図１
0003207359.tif 000002
【実用新案登録請求の範囲】
【請求項１】
裏面には、裏側から外側へ徐々に大きくなるように配列する、複数のＵ字形突起と、複数の逆Ｕ字形突起と、が設けられており、外面には、裏側から外側へ徐々に大きくなるように配列する、複数のＵ字形溝と、複数の逆Ｕ字形溝と、が設けられている受け箱底部と、
前記受け箱底部の四周から上方に延びて形成され、矩形窪みと矩形突起とが交錯に配列され、その外面が矩形窪みである場合には、反対面である裏面が矩形突起である四つの側面と、
前記四つの側面の上縁から外側に延びて形成され、植木盤を受け可能であるプラットフォーム面と、
前記プラットフォーム面の周縁に設けられており、前記プラットフォーム面の周縁の強度を補強し、前記受け箱底部、前記四つの側面及び前記プラットフォーム面と樹脂で一体に成形され、重量が軽くて強度が高く、積み上げても占めるスペースが小さいため、運輸コストを減少可能であり、重複に利用可能であり、耐用性が良い矩形周縁と、
その周縁から下方に延びる止め壁を有し、前記止め壁の末端に当接平面が形成されており、植木鉢用貫通孔が複数設けられており、前記植木鉢用貫通孔には、下方に延びる環状突起部が形成されており、前記環状突起部は、下方へ徐々に縮径し、前記植木鉢用貫通孔との連接の形状が円弧形を呈し、前記止め壁及び前記環状突起部と樹脂で一体に成形され、重量が軽くて強度が高く、重複に利用可能であり、耐用性が良い植木盤と、
を含むことを特徴とする植木鉢用受け箱セット。
【請求項２】
前記植木鉢用受け箱の前記矩形周縁の周面に補強用突起が一つ以上設けられており、前記補強用突起により、前記矩形周縁の強度を増加可能であることを特徴とする、請求項１に記載の植木鉢用受け箱セット。
【請求項３】
前記植木鉢用受け箱は、樹脂で一体成形され、射出成形を採用することを特徴とする、請求項１に記載の植木鉢用受け箱セット。
【請求項４】
前記植木鉢用受け箱は、樹脂で一体成形され、真空成形を採用することを特徴とする、請求項１に記載の植木鉢用受け箱セット。
【請求項５】
前記植木盤の前記止め壁の前記当接平面の周縁に補強凸縁が環設されており、前記補強凸縁により、前記止め壁の強度を増加可能であり、前記当接平面の幅を増加可能であることを特徴とする、請求項１に記載の植木鉢用受け箱セット。
【請求項６】
前記植木盤は、樹脂で一体成形され、射出成形を採用することを特徴とする、請求項１に記載の植木鉢用受け箱セット。
【請求項７】
前記植木盤は、樹脂で一体成形され、真空成形を採用することを特徴とする、請求項１に記載の植木鉢用受け箱セット。
【考案の詳細な説明】
【技術分野】
【０００１】
本考案は、植木鉢用受け箱セットに関し、特に、樹脂で一体成形され、重量が軽くて強度が高く、積み上げても占めるスペースが小さいため、運輸コストを減少可能であり、重複に利用可能である植木鉢用受け箱セットに関するものである。
【背景技術】
【０００２】
従来の植木鉢用受け箱は、木質の板を結合して構成され、板の間に隙間があるため、水が漏れやすい。このような問題を解決するために、植木鉢用受け箱に水や栄養液を注入する前に、プラスチックシートを敷いておくことが必要である。
【０００３】
従来の植木鉢用受け箱は、木質の板を結合して構成されるため、重量がより重い。そして木質の板を作製するために、伐木することが必要であり、地球環境に悪影響を与える問題がある。プラスチックシートは、損壊しやすいため、使い捨てることが一般的である。これにより、地球環境に悪影響を与える問題がある。従来の植木鉢用受け箱は、より重く、積み上げるとスペースをかなり占めるため、運輸コストを減少できない。
【０００４】
従来の植木盤は、作製コストを減少するために、スタイロフォームで作製されることが一般的である。しかし、スタイロフォームは、リサイクルできず、自然に分解できず、強度が低く、衝突されると損壊しやすく、そして衝突されると屑が発生して環境を汚染する問題がある。
【考案の概要】
【考案が解決しようとする課題】
【０００５】
本考案の主な目的は、樹脂で一体に成形され、重量が軽くて強度が高く、積み上げても占めるスペースが小さいため、運輸コストを減少可能であり、重複に利用可能であり、耐用性が良い植木鉢用受け箱セットを提供することにある。
【課題を解決するための手段】
【０００６】
本考案の植木鉢用受け箱セットによると、裏面には、裏側から外側へ徐々に大きくなるように配列する、複数のＵ字形突起と、複数の逆Ｕ字形突起と、が設けられており、外面には、裏側から外側へ徐々に大きくなるように配列する、複数のＵ字形溝と、複数の逆Ｕ字形溝と、が設けられている受け箱底部と、
受け箱底部の四周から上方に延びて形成され、矩形窪みと矩形突起とが交錯に配列され、その外面が矩形窪みである場合には、反対面である裏面が矩形突起である四つの側面と、
四つの側面の上縁から外側に延びて形成され、植木盤を受け可能であるプラットフォーム面と、
プラットフォーム面の周縁に設けられており、プラットフォーム面の周縁の強度を補強し、受け箱底部、四つの側面及びプラットフォーム面と樹脂で一体に成形され、重量が軽くて強度が高く、積み上げても占めるスペースが小さいため、運輸コストを減少可能であり、重複に利用可能であり、耐用性が良い矩形周縁と、
その周縁から下方に延びる止め壁を有し、止め壁の末端に当接平面が形成されており、植木鉢用貫通孔が複数設けられており、植木鉢用貫通孔には、下方に延びる環状突起部が形成されており、環状突起部は、下方へ徐々に縮径し、植木鉢用貫通孔との連接の形状が円弧形を呈し、止め壁及び環状突起部と樹脂で一体に成形され、重量が軽くて強度が高く、重複に利用可能であり、耐用性が良い植木盤と、
を含むことを特徴とする。
【０００７】
本考案の植木鉢用受け箱セットによると、植木鉢用受け箱の矩形周縁の周面に補強用突起が一つ以上設けられており、補強用突起により、矩形周縁の強度を増加可能であることを特徴とする。
【０００８】
本考案の植木鉢用受け箱セットによると、植木鉢用受け箱は、樹脂で一体成形され、射出成形を採用することを特徴とする。
【０００９】
本考案の植木鉢用受け箱セットによると、植木鉢用受け箱は、樹脂で一体成形され、真空成形を採用することを特徴とする。
【００１０】
本考案の植木鉢用受け箱セットによると、植木盤の止め壁の当接平面の周縁に補強凸縁が環設されており、補強凸縁により、止め壁の強度を増加可能であり、当接平面の幅を増加可能であることを特徴とする。
【００１１】
本考案の植木鉢用受け箱セットによると、植木盤は、樹脂で一体成形され、射出成形を採用することを特徴とする。
【００１２】
本考案の植木鉢用受け箱セットによると、植木盤は、樹脂で一体成形され、真空成形を採用することを特徴とする。
【考案の効果】
【００１３】
本考案の植木鉢用受け箱セットによれば、樹脂で一体に成形され、重量が軽くて強度が高く、積み上げても占めるスペースが小さいため、運輸コストを減少可能であり、重複に利用可能であり、耐用性が良いという効果を有する。
【図面の簡単な説明】
【００１４】
【図１】本考案の第１の実施形態に係る受け箱の上方の視点から見た斜視図である。
【図２】本考案の第１の実施形態に係る受け箱の下方の視点から見た斜視図である。
【図３】本考案の第１の実施形態に係る受け箱を示す平面図である。
【図４】本考案の第１の実施形態に係る受け箱を示す側面図である。
【図５】図４におけるＡ部分を示す拡大図である。
【図６】本考案の第２の実施形態に係る植木盤の上方の視点から見た斜視図である。
【図７】本考案の第２の実施形態に係る植木盤の下方の視点から見た斜視図である。
【図８】図７におけるＢ-Ｂ線の断面図である。
【図９】本考案の第２の実施形態に係る植木盤を示す平面図である。
【図１０】本考案の第２の実施形態に係る植木盤を示す側面図である。
【図１１】図１０におけるＣ部分を示す拡大図である。
【図１２】本考案の第２の実施形態に係る植木盤を示す下面図である。
【図１３】本考案に係る植木鉢用受け箱セットにより、植物を栽培する状態を示す模式図である。
【考案を実施するための形態】
【００１５】
以下、本考案の実施の形態を図面に基づいて説明する。
【００１６】
図１から図１３を参照する。本考案に係る植木鉢用受け箱セットは、受け箱底部１０と、四つの側面２０と、プラットフォーム面３０と、矩形周縁４０と、を含む。
【００１７】
受け箱底部１０は、裏面１１には、裏側から外側へ徐々に大きくなるように配列する、複数のＵ字形突起１１１と、複数の逆Ｕ字形突起１１２と、が設けられており、外面１２には、裏側から外側へ徐々に大きくなるように配列する、複数のＵ字形溝１２１と、複数の逆Ｕ字形溝１２２と、が設けられている。
【００１８】
四つの側面２０は、受け箱底部１０の四周から上方に延びて形成され、矩形窪み２１１，２２２と矩形突起２１２，２２１とが交錯に配列される。側面２０の外面２２が矩形窪みである場合には、反対面である裏面２１が矩形突起である。そして側面２０の外面２２が矩形突起である場合には、反対面である裏面２１が矩形窪みである。
【００１９】
プラットフォーム面３０は、四つの側面２０の上縁から外側に延びて形成され、植木盤５０を受け可能である。
【００２０】
矩形周縁４０は、プラットフォーム面３０の周縁に設けられており、プラットフォーム面３０の周縁の強度を補強し、受け箱底部１０、四つの側面２０及びプラットフォーム面３０と樹脂で一体に成形される。これにより、重量が軽くて強度が高く、積み上げても占めるスペースが小さいため、運輸コストを減少可能であり、重複に利用可能であり、耐用性が良い。
【００２１】
図４及び図５を参照する。矩形周縁４０の周面に補強用突起４１が一つ以上設けられている。補強用突起４１により、矩形周縁４０の周縁の強度を増加可能である。
【００２２】
植木鉢用受け箱１は、樹脂で一体成形され、射出成形を採用する。植木盤５０は、樹脂で一体成形され、射出成形を採用する。
【００２３】
もちろん、植木鉢用受け箱１は、樹脂で一体成形され、真空成形を採用し、植木盤５０は、樹脂で一体成形され、真空成形を採用してもよい。
【００２４】
図６から図１３を参照する。植木盤５０は植木盤上面６０を含む。植木盤上面６０には、その周縁から下方に延びる止め壁７０が形成されている。止め壁７０の末端に当接平面７１が形成されている。植木盤上面６０には、植木鉢用貫通孔８０が複数設けられている。植木鉢用貫通孔８０には、下方に延びる環状突起部９０が形成されている。環状突起部９０は、下方へ徐々に縮径し、植木鉢用貫通孔８０との連接の形状が円弧形９１を呈する。円弧形９１により、植木盤上面６０の強度を増加可能である。植木盤上面６０、止め壁７０及び環状突起部９０は、樹脂で一体に成形されるため、重量が軽くて強度が高く、重複に利用可能であり、耐用性が良い。
【００２５】
止め壁７０の当接平面７１の周縁に補強凸縁７２が環設されている。補強凸縁７２により、止め壁７０の強度を増加可能であり、当接平面７１の幅を増加可能である。
【００２６】
図８から図１０を参照する。植木鉢用受け箱１に水や栄養液を注入して、植木鉢用受け箱１に植木盤５０を組付けると、植木盤５０に設けられている複数の植木鉢用貫通孔８０に複数の植物１１０をそれぞれ入れ可能である。植木鉢用貫通孔８０に植物１１０を入れると、植物１１０の根部は水や栄養液と接触するため、植物１１０に太陽光などを照射すると、植物１１０は光合成をして成長することができる。
【産業上の利用可能性】
【００２７】
本考案は、植木鉢用受け箱セットに適用することができる。
【符号の説明】
【００２８】
１  植木鉢用受け箱
１０  受け箱底部
１１  裏面
１２  外面
２０  側面
２１  裏面
２２  外面
３０  プラットフォーム面
４０  矩形周縁
４１  補強用突起
５０  植木盤
６０  植木盤上面
７０  止め壁
７１  当接平面
７２  補強凸縁
８０  植木鉢用貫通孔
９０  環状突起部
９１  円弧形
１１０  植物
１１１  Ｕ字形突起
１１２  逆Ｕ字形突起
１２１  Ｕ字形溝
１２２  逆Ｕ字形溝
２１１  矩形窪み
２１２  矩形突起
２２１  矩形突起
２２２  矩形窪み
【図１】
0003207359.tif 000003
【図２】
0003207359.tif 000004
【図３】
0003207359.tif 000005
【図４】
0003207359.tif 000006
【図５】
0003207359.tif 000007
【図６】
0003207359.tif 000008
【図７】
0003207359.tif 000009
【図８】
0003207359.tif 000010
【図９】
0003207359.tif 000011
【図１０】
0003207359.tif 000012
【図１１】
0003207359.tif 000013
【図１２】
0003207359.tif 000014
【図１３】
0003207359.tif 000015
【手続補正書】
【提出日】平成28年8月30日(2016.8.30)
【手続補正１】
【補正対象書類名】実用新案登録請求の範囲
【補正対象項目名】全文
【補正方法】変更
【補正の内容】
【実用新案登録請求の範囲】
【請求項１】
裏面には、裏側から外側へ徐々に大きくなるように配列する、複数のＵ字形突起と、複数の逆Ｕ字形突起と、が設けられており、外面には、裏側から外側へ徐々に大きくなるように配列する、複数のＵ字形溝と、複数の逆Ｕ字形溝と、が設けられている受け箱底部と、
前記受け箱底部の四周から上方に延びて形成され、矩形窪みと矩形突起とが交錯に配列され、その外面が矩形窪みである場合には、反対面である裏面が矩形突起である四つの側面と、
前記四つの側面の上縁から外側に延びて形成され、植木盤を受け可能であるプラットフォーム面と、
前記プラットフォーム面の周縁に設けられており、前記プラットフォーム面の周縁の強度を補強し、前記受け箱底部、前記四つの側面及び前記プラットフォーム面と樹脂で一体に成形され、重量が軽くて強度が高く、積み上げても占めるスペースが小さいため、運輸コストを減少可能であり、重複に利用可能であり、耐用性が良い矩形周縁と、
その周縁から下方に延びる止め壁を有し、前記止め壁の末端に当接平面が形成されており、植木鉢用貫通孔が複数設けられており、前記植木鉢用貫通孔には、下方に延びる環状突起部が形成されており、前記環状突起部は、下方へ徐々に縮径し、前記植木鉢用貫通孔との連接の形状が円弧形を呈し、前記止め壁及び前記環状突起部と樹脂で一体に成形され、重量が軽くて強度が高く、重複に利用可能であり、耐用性が良い植木盤と、
を含むことを特徴とする植木鉢用受け箱セット。
【請求項２】
植木鉢用受け箱の前記矩形周縁の周面に補強用突起が一つ以上設けられており、前記補強用突起により、前記矩形周縁の強度を増加可能であることを特徴とする、請求項１に記載の植木鉢用受け箱セット。
【請求項３】
植木鉢用受け箱は、樹脂で一体成形され、射出成形を採用することを特徴とする、請求項１に記載の植木鉢用受け箱セット。
【請求項４】
植木鉢用受け箱は、樹脂で一体成形され、真空成形を採用することを特徴とする、請求項１に記載の植木鉢用受け箱セット。
【請求項５】
前記植木盤の前記止め壁の前記当接平面の周縁に補強凸縁が環設されており、前記補強凸縁により、前記止め壁の強度を増加可能であり、前記当接平面の幅を増加可能であることを特徴とする、請求項１に記載の植木鉢用受け箱セット。
【請求項６】
前記植木盤は、樹脂で一体成形され、射出成形を採用することを特徴とする、請求項１に記載の植木鉢用受け箱セット。
【請求項７】
前記植木盤は、樹脂で一体成形され、真空成形を採用することを特徴とする、請求項１に記載の植木鉢用受け箱セット。